(57)【要約】【課題】スクリーンと対象物との隙間を塞ぐことの可能なロールスクリーンを提供する。【解決手段】ロールスクリーン１００は、一端が巻取パイプ１２０に巻取り及び巻解き可能に連結されるスクリーン１３０を備えており、スクリーン１３０の垂下位置は、窓枠ＷＦ（対象物）に近接した位置と、窓枠ＷＦから離間した位置との間を移動可能であり、スクリーン昇降停止時とスクリーン昇降時とで異なる位置でスクリーン１３０の垂下位置を切り替える位置切替機構１４０を設けたことを特徴とする。スクリーン１３０を窓枠ＷＦに近接又は当接することができ、スクリーン周辺からの光漏れを防止できる。また、スクリーン１３０の昇降動作に影響しない。【選択図】図５
2020066899.tif 000002
【特許請求の範囲】
【請求項１】
一端が巻取パイプに巻取り及び巻解き可能に連結されるスクリーンを備えたロールスクリーンであって、
前記スクリーンの垂下位置は、対象物に近接した位置と、前記対象物から離間した位置との間を移動可能であり、
スクリーン昇降停止時とスクリーン昇降時とで異なる位置で前記スクリーンの垂下位置を切り替える位置切替機構を設けたことを特徴とする、ロールスクリーン。
【請求項２】
前記位置切替機構は、
前記スクリーンを垂下する位置で支持する支持軸と、
前記支持軸と連結され前後に揺動可能な揺動アームと、
を含み、
前記揺動アームが前後に揺動することで、前記支持軸が前記対象物に近接した位置と前記対象物から離間した位置との間で切り替わることを特徴とする、請求項１に記載のロールスクリーン。
【請求項３】
前記位置切替機構は、手動で前記揺動アームを前後に揺動操作するための揺動操作部を含むことを特徴とする、請求項２に記載のロールスクリーン。
【請求項４】
前記位置切替機構は、前記スクリーンを昇降させるための昇降部の動作と連動して前記スクリーンの垂下する位置を切り替えることを特徴とする、請求項１又は２のいずれかに記載のロールスクリーン。
【発明の詳細な説明】
【技術分野】
【０００１】
本発明は、ロールスクリーンに関する。
【背景技術】
【０００２】
従来のロールスクリーンとしては、実開昭６０−１００９６号公報（特許文献１）に示されるものがある。同文献には、ブラケットベースの外側面に、一端部に複数個の取付孔が適宜間隔に設けられたローラーホルダーを角度調整自在に取付け、ローラーホルダーの他端部内側にはスクリーン引出案内用のローラーを備えたことが開示されている。
【０００３】
これによれば、ローラーパイプへのスクリーンの巻取厚さの厚薄に拘わらず、スクリーンの引出位置を窓面に接近させて常時一定の位置に保持することができる。このため、窓面からの入射光を遮蔽できる効果を有する。
【先行技術文献】
【特許文献】
【０００４】
【特許文献１】実開昭６０−１００９６号公報
【発明の概要】
【発明が解決しようとする課題】
【０００５】
しかしながら、特許文献１のような従来のロールスクリーンでは、ローラーホルダーは常時一定の位置で保持されるため、スクリーンを上下に昇降させる際に、スクリーンが窓面に接触して昇降動作に影響しないように、スクリーンと窓面との間に隙間を開けるようにして設置させる必要がある。このため、スクリーンと窓面の隙間を塞ぐことができず、室内に光が漏れるという問題があった。このような問題は、スクリーンの設置対象である対象物が窓面以外の場合にも起こり得る。
【０００６】
そこで本発明は、このような問題に鑑みてなされたもので、その目的とするところは、スクリーンと対象物との隙間を塞ぐことの可能なロールスクリーンを提供することにある。
【課題を解決するための手段】
【０００７】
上記課題を解決するために、本発明によれば、一端が巻取パイプに巻取り及び巻解き可能に連結されるスクリーンを備えたロールスクリーンであって、前記スクリーンの垂下位置は、対象物に近接した位置と、前記対象物から離間した位置との間を移動可能であり、スクリーン昇降停止時とスクリーン昇降時とで異なる位置で前記スクリーンの垂下位置を切り替える位置切替機構を設けたことを特徴とする、ロールスクリーンが提供される。
【０００８】
かかる構成によれば、スクリーン昇降停止時において、スクリーン昇降時とは異なる位置でスクリーンを垂下させることができる位置切替機構を設けることで、スクリーンの昇降を停止してから、又は下降動作に伴って、スクリーンを対象物（窓枠や壁面や他のスクリーンなど）に寄せることができる。このため、スクリーンの昇降動作に影響しない。また、スクリーンを対象物に近接又は当接することができ、例えば対象物が窓枠であれば、スクリーン周辺からの光漏れを防止できる。
【０００９】
本発明は様々な応用が可能である。例えば、前記位置切替機構は、前記スクリーンを垂下する位置で支持する支持軸と、前記支持軸と連結され前後に揺動可能な揺動アームと、を含み、前記揺動アームが前後に揺動することで、前記支持軸が前記対象物に近接した位置と前記対象物から離間した位置との間で切り替わるようにしてもよい。かかる構成によれば、前後に揺動する揺動アームを設けることで、支持軸を介して垂下しているスクリーンを、対象物に寄った状態と対象物から離間した状態とに容易に切り替えることができる。
【００１０】
また、前記位置切替機構は、手動で前記揺動アームを前後に揺動操作するための揺動操作部を含むようにしてもよい。かかる構成によれば、揺動アームを前後に揺動させる揺動操作部を手動で操作することで、揺動アームを任意の位置で停止したり、揺動アームを前後に揺動したりすることを容易に操作することができる。
【００１１】
また、前記位置切替機構は、前記スクリーンを昇降させるための昇降部の動作と連動して前記スクリーンの垂下する位置を切り替えるようにしてもよい。かかる構成によれば、位置切替機構を、スクリーンを昇降させるための昇降部の動作と連動可能としたことで、部品点数を削減できる。
【発明の効果】
【００１２】
本発明によれば、スクリーンと対象物との隙間を塞ぐことの可能なロールスクリーンが提供される。本発明のその他の効果については、後述する発明を実施するための形態においても説明する。
【図面の簡単な説明】
【００１３】
【図１】ロールスクリーン１００の全体構成を概略的に示した正面図である。
【図２】巻取パイプ１２０の構成を説明するための背面図である。
【図３】位置切替機構１４０の構成を説明するための図である。
【図４】ロールスクリーン１００の動作を説明するための図であり、スクリーン１３０の昇降途中の動作を示す図である。
【図５】ロールスクリーン１００の動作を説明するための図であり、スクリーン１３０が全閉された状態を示す図である。
【図６】スクリーン１３０が全閉され窓枠ＷＦによった状態を示す背面図である。
【図７】第２の実施形態のロールスクリーン２００の構成を説明するための図である。
【図８】図７のＡ−Ａ断面図である。
【図９】スクリーン２３０が上昇するときの状態を示す図である。
【図１０】スクリーン２３０が全閉され窓枠ＷＦに寄った状態を示す図である。
【図１１】第３の実施形態のロールスクリーン３００の構成を説明するための図である。
【図１２】スクリーン３３０が上昇するときの状態を示す図である。
【図１３】スクリーン３３０が全閉され窓枠ＷＦに寄った状態を示す図である。
【図１４】第４の実施形態のロールスクリーン４００の構成を説明するための図である。
【図１５】スクリーン４３０が全閉され窓枠ＷＦに寄った状態を示す図である。
【発明を実施するための形態】
【００１４】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１５】
本実施形態のロールスクリーン１００の全体の構成について、図１及び図２を参照しながら説明する。図１はロールスクリーン１００の全体構成を概略的に示した図である。図２は巻取パイプ１２０の構成を説明するための図である。ロールスクリーン１００は、図１に示したように、一端が巻取パイプ１２０に巻取り及び巻解き可能に連結されるスクリーン１３０を備えており、スクリーン１３０の垂下位置は、窓枠ＷＦ（対象物）に近接した位置と、窓枠ＷＦから離間した位置との間を移動可能であり、スクリーン昇降停止時とスクリーン昇降時とで異なる位置でスクリーン１３０の垂下位置を切り替える位置切替機構１４０を設けたことを特徴とする。以下、本実施形態のロールスクリーン１００の各構成要素について説明する。
【００１６】
巻取パイプ１２０は、支持部材１１０によって窓枠ＷＦに取り付けられる。支持部材１１０は、図１に示したように、巻取パイプ１２０を回転可能に支持するサイドプレート１１２と、サイドプレート１１２を窓枠ＷＦに固定するためのセットフレーム１１４と、を備えて構成される。サイドプレート１１２は、セットフレーム１１４の両端に設けられており、ブラケット１１６によって窓枠ＷＦの上部に固定されている。左右のサイドプレート１１２には、図２に示したように、対向するサイドプレート１１２の方向に突出する円筒状の円筒状部１１２ａが形成されている。円筒状部１１２ａの中心には固定軸１１８が対向するサイドプレート１１２の方向に突出して固定されている。
【００１７】
（巻取パイプ１２０）
巻取パイプ１２０は、スクリーン１３０を昇降させるものである。巻取パイプ１２０は、図１に示したように、スクリーン１３０の上端が巻取り及び巻解き可能に連結されている。巻取パイプ１２０の一方の端部には、図２に示したように、軸受１２２が嵌め合わされている。巻取パイプ１２０は、軸受１２２を介して一方のサイドプレート１１２−１に固定されている固定軸１１８に回転可能に支持されている。巻取パイプ１２０の一方の端部と一方のサイドプレート１１２−１の間には、後述する位置切替機構１４０が設けられている。
【００１８】
巻取パイプ１２０の他方の端部には、図２に示したように、巻取パイプ１２０の回転を拘束するための巻取パイプ用ストッパ１２４が嵌め合わされている。巻取パイプ１２０は、巻取パイプ用ストッパ１２４を介して他方のサイドプレート１１２−２に固定された固定軸１１８に回転可能に支持されている。巻取パイプ１２０の他方の端部と他方のサイドプレート１１２−２の間には、巻取パイプ１２０を回転操作するための昇降部１２６と、スクリーン１３０の垂下位置を切り替える位置切替機構１４０が設けられている。昇降部１２６は、巻取パイプ１２０と一体に回転するプーリ１２７とプーリ１２７の回転を操作する操作チェーン１２８とから構成される一般的な構成のものが用いられる。
【００１９】
（スクリーン１３０）
スクリーン１３０は、窓の開口部ＷＡを閉鎖するものである。スクリーン１３０は、図１に示したように、上端が巻取パイプ１２０の巻取り及び巻解き可能に連結されている。スクリーン１３０の下端には、ウエイトバー１３２が取付けられている。
【００２０】
（位置切替機構１４０）
位置切替機構１４０は、スクリーン１３０の垂下位置を窓枠ＷＦに近接した位置と窓枠ＷＦから離間した位置との間を移動可能であり、スクリーン昇降停止時において、スクリーン昇降時とは異なる位置で垂下させる。位置切替機構１４０は、図１に示したように、左右のサイドプレート１１２にわたって設けられている。以下、位置切替機構１４０について、図３を参照しながら説明する。図３は、位置切替機構１４０の構成を説明するための図である。
【００２１】
位置切替機構１４０は、スクリーン１３０を垂下する位置で支持する支持軸１４２と、支持軸１４２と連結され前後に揺動可能な揺動アーム１４４と、からなる。揺動アーム１４４が前後に揺動することで、支持軸１４２が窓枠ＷＦに寄った状態と窓枠ＷＦから離間した状態に切り替わる。
【００２２】
支持軸１４２は、巻取パイプ１２０よりも若干長尺の円筒状に構成されている。支持軸１４２は、巻取パイプ１２０に巻き取られたスクリーン１３０に干渉しない位置に配置されている。
【００２３】
揺動アーム１４４は、円形状に形成された凹部１４４ａが、サイドプレート１１２の円筒状部１１２ａに回転可能に嵌め合わされることにより、揺動するようになっている。凹部１４４ａにはばね１４６が配置されている。ばね１４６の中心には固定軸１１８が挿通している。ばね１４６の一端は固定軸１１８に固定されており、ばね１４６の他端は揺動アーム１４４に固定されている。ばね１４６は、支持軸１４２を押し上げる方向に揺動アーム１４４を付勢している。揺動アーム１４４の下部は、サイドプレート１１２から突出し、支持軸１４２の端部が連結されている。
【００２４】
揺動アーム１４４の下端には、揺動アーム１４４の揺動を操作するための揺動操作部１４８が設けられている。揺動操作部１４８は、長尺状の棒状の操作部１４８ａと揺動アーム１４４とを揺動自在に連結するジョイント１４８ｂと、を備えて構成される。操作部１４８ａを引き下げることによって、揺動アーム１４４を揺動させることができる。
【００２５】
揺動アーム１４４を揺動可能な状態と揺動が拘束された状態とを切り替える揺動アーム用ストッパ１５０が揺動アーム１４４と一体回転するように設けられている。揺動アーム用ストッパ１５０は、巻取パイプ１２０の軸受１２２内に配置されており、固定軸１１８に支持されている。揺動アーム用ストッパ１５０は、固定軸１１８に係止することで揺動アーム１４４の揺動を拘束し、固定軸１１８への係止が解除することで揺動アーム１４４を揺動可能にする。揺動操作部１４８を操作することによって揺動アーム用ストッパ１５０の係止及び係止解除の切り替えが行われる。揺動アーム用ストッパ１５０は、支持軸１４２が下方に位置した状態で揺動アーム１４４の揺動を拘束する。
【００２６】
以上、本実施形態のロールスクリーン１００の構成について説明した。次に、本実施形態のロールスクリーン１００の動作について、図４〜図６を参照しながら説明する。図４は、ロールスクリーン１００の動作を説明するための図であり、スクリーン１３０の昇降途中の動作を示す図である。図５は、ロールスクリーン１００の動作を説明するための図であり、スクリーン１３０が全閉された状態を示す図である。図６は、スクリーン１３０が全閉され窓枠ＷＦに寄った状態を示す背面図である。
【００２７】
スクリーン１３０を昇降させるときには、図４に示したように、操作部１４８ａを引き下ろして揺動アーム１４４を揺動させ、支持軸１４２を下方に配置する。すると、揺動アーム用ストッパ１５０によって揺動アーム１４４の揺動が拘束される。よって、支持軸１４２から垂下するスクリーン１３０の位置が窓枠ＷＦから離間する。また、ばね１４６が変形して弾性エネルギーを蓄積する。次に、操作チェーン１２８を操作して昇降部１２６により巻取パイプ１２０を回転させて、スクリーン１３０を昇降させる。このとき、スクリーン１３０は、位置切替機構１４０によって窓枠ＷＦから離間しているため、窓枠ＷＦに接触することなく昇降する。
【００２８】
スクリーン１３０を停止させると、図５に示したように、操作部１４８ａを下方に所定量引き下ろして揺動アーム用ストッパ１５０を解除する。すると、ばね１４６の復元力により揺動アーム１４４が支持軸１４２を上昇させる方向に揺動し、支持軸１４２が窓枠ＷＦに近接した位置で停止する。よって、図５及び図６に示したように、スクリーン１３０が窓枠ＷＦに近接して垂下する。
【００２９】
（第１の実施形態の効果）
以上説明したように、本実施形態によれば、スクリーン昇降停止時において、スクリーン昇降時とは異なる位置でスクリーンを垂下させることができる位置切替機構１４０を設けることで、スクリーン１３０の昇降を停止してから、スクリーン１３０を窓枠ＷＦに寄せることができる。このため、スクリーン１３０の昇降動作に影響しない。また、スクリーン１３０を窓枠ＷＦに近接又は当接することができ、スクリーン１３０周辺からの光漏れを防止できる。
【００３０】
また、前後に揺動する揺動アーム１４４を設けることで、支持軸１４２を介して垂下しているスクリーン１３０を、窓枠ＷＦに寄った状態と窓枠ＷＦから離間した状態とに容易に切り替えることができる。
【００３１】
また、揺動アーム１４４を前後に揺動させる揺動操作部１４８を手動で操作することで揺動アーム用ストッパ１５０の係止及び係止解除の切り替えが行えるため、揺動アーム１４４を任意の位置で停止したり、揺動アーム１４４を揺動させたりすることを容易に操作することができる。
【００３２】
（第２の実施形態）
第２の実施形態に係るロールスクリーン２００の構成について、図７及び図８を参照しながら説明する。図７は、本実施形態のロールスクリーン２００の構成を説明するための図である。本実施形態は、上記第１の実施形態とは主に位置切替機構２４０の構成が異なるものである。本実施形態では、上記第１の実施形態と異なる点を中心に説明する。実質的に同一の機能構成を有する構成要素については、同一の符号を付することにより重複説明を省略する。
【００３３】
本実施形態のサイドプレート２１２、プーリ２２７、操作チェーン２２８、スクリーン２３０は、第１の実施形態のサイドプレート１１２、プーリ１２７、操作チェーン１２８、スクリーン１３０と実質的に同様である。
【００３４】
位置切替機構２４０は、スクリーン２３０を昇降させる昇降部２２６の動作と連動して位置を切り替えるものである。昇降部２２６は、図７及び図８に示したように、プーリ２２７と操作チェーン２２８によって構成されている。プーリの軸部２２７ａは、固定軸２１８の外周に回転自在に嵌め合わされている。また、プーリの軸部２２７ａの外周には揺動アーム２４４とクラッチばね２２９が軸方向に並んで嵌め合わされている。揺動アーム２４４とクラッチばね２２９は後述するように一体回転するように構成されており、これらはプーリの軸部２２７ａに対して一体又は相対回転する。
【００３５】
固定軸２１８は、図７に示したように、円周方向において対向する位置に２つの固定軸の突起部２１８ａ、２１８ｂが設けられている。固定軸の突起部２１８ａ、２１８ｂは、図８に示したように、固定軸２１８と並行に軸方向に揺動アーム２４４の位置まで軸方向に延びている。固定軸２１８と固定軸の突起部２１８ａ、２１８ｂの間には、プーリの軸部２２７ａとクラッチばね２２９が配設されている。
【００３６】
クラッチばねの両端部２２９ａ、２２９ｂは、径方向外向きに突出している。クラッチばねの両端部２２９ａ、２２９ｂの間には、後述する揺動アームの突起部２４４ａが配置されている。
【００３７】
揺動アーム２４４には、軸方向に突出する扇状の揺動アームの突起部２４４ａが設けられている。揺動アームの突起部２４４ａは、クラッチばねの両端部２２９ａ、２２９ｂに接触するようにこれらの間に配置されている。よって、揺動アーム２４４とクラッチばね２２９は一体に回転する。なお、揺動アームの突起部２４４ａとクラッチばねの両端部２２９ａ、２２９ｂとは必ずしも接触していなくてもよく、揺動アーム２４４とクラッチばね２２９とは、揺動アームの突起部２４４ａがどちらか一方のクラッチばねの端部２２９ａ、２２９ｂと当接するまで相対回転し、当接した後一体回転する構成としてもよい。
【００３８】
以上、本実施形態のロールスクリーン２００の構成について説明した。以下、ロールスクリーン２００の動作について、前述の図７に加え、図９及び図１０を参照しながら説明する。図９は、スクリーン２３０が上昇するときの状態を示す図である。図１０は、スクリーン２３０が全閉され窓枠ＷＦに寄った状態を示す図である。
【００３９】
まず、スクリーン２３０を下降させる場合について説明する。スクリーン２３０を下降させるときは、図７に示したように、操作チェーンの後側２２８ａを引き下ろす。すると、プーリ２２７がスクリーン２３０を下降させる方向に回転し、プーリ２２７に締結しているクラッチばね２２９も同じ方向に回転する。
【００４０】
クラッチばね２２９が回転すると、クラッチばねの端部２２９ａで保持されている揺動アーム２４４が自重により下方に揺動し、支持軸２４２が下方に移動する。クラッチばねの端部２２９ａが固定軸の突起部２１８ａに当接するまで回転すると、それ以上の回転が規制され、揺動アーム２４４の下方への揺動が拘束される。よって、揺動アーム２４４は水平より斜め下方に傾いた状態で保持されるため、スクリーン２３０は窓枠ＷＦから離間した位置で支持軸２４２から垂下する。更に操作チェーンの後側２２８ａを引いてプーリ２２７の回転を続けると、クラッチばね２２９は弛み、プーリ２２７のみ回転を継続する。よって、スクリーン２３０は、窓枠ＷＦから離間した位置で下降する。
【００４１】
次に、スクリーン２３０を上昇させる場合について説明する。スクリーン２３０を上昇させるときは、図９に示したように、操作チェーンの前側２２８ｂを引き下ろす。すると、プーリ２２７がスクリーン２３０を上昇させる方向に回転し、プーリ２２７に締結しているクラッチばね２２９も同じ方向に回転する。
【００４２】
クラッチばね２２９が回転すると、クラッチばねの端部２２９ａで保持されている揺動アーム２４４が上方に揺動し、支持軸２４２が上方に移動する。このとき、揺動アームの突起部２４４ａがクラッチばねの端部２２９ａを押圧するため、クラッチばね２２９は締まり、クラッチばね２２９とともに揺動アーム２４４は上昇する。
【００４３】
クラッチばねの端部２２９ｂが固定軸の突起部２１８ｂに当接するまで回転し、さらに操作チェーンの前側２２８ｂを引いてプーリ２２７の回転を続けると、クラッチばね２２９は弛み、プーリ２２７のみ回転を継続する。このとき、揺動アームの突起部２４４ａがクラッチばねの端部２２９ａを押圧するため、クラッチばね２２９は揺動アーム２４４が下方に揺動せず上方で保持される程度の力で締まり続け、揺動アーム２４４が水平より斜め上方に傾いた状態で保持される。よって、スクリーン２３０は、窓枠ＷＦから離間した位置で上昇する。
【００４４】
次に、スクリーン２３０の昇降動作を停止した場合について説明する。スクリーン２３０の昇降動作が停止したときには、図１０に示したように、操作チェーン２２８の操作をやめてプーリ２２７の回転を停止させる。よって、揺動アーム２４４は、自重により下降しようとするが、揺動アームの突起部２４４ａがクラッチばねの端部２２９ａを押圧するため、クラッチばね２２９がプーリ２２７に締結する。よって、揺動アーム２４４が水平になる位置までプーリ２２７を回転させると、スクリーン２３０が窓枠ＷＦに寄った位置で支持軸２４２から垂下する。
【００４５】
（第２の実施形態の効果）
以上説明したように、本実施形態によれば、位置切替機構２４０を、スクリーン２３０を昇降させるための昇降部２２６の動作と連動可能としたことで、部品点数を削減できる。
【００４６】
（第３の実施形態）
第３の実施形態に係るロールスクリーン３００の構成について、図１１を参照しながら説明する。図１１は、本実施形態のロールスクリーン３００の構成を説明するための図である。本実施形態は、位置切替機構３４０が、スクリーン３３０を昇降させるための昇降部３２６の動作と連動してスクリーン３３０の垂下する位置を切り替えることを特徴としている。上記第１の実施形態とは主に位置切替機構３４０の構成が異なるものであり、本実施形態では、上記第１の実施形態と異なる点を中心に説明する。実質的に同一の機能構成を有する構成要素については、同一の符号を付することにより重複説明を省略する。
【００４７】
本実施形態の巻取パイプ３２０、プーリ３２７、操作チェーン３２８、スクリーン３３０は、第１の実施形態の巻取パイプ１２０、プーリ１２７、操作チェーン１２８、スクリーン１３０と実質的に同様である。
【００４８】
位置切替機構３４０は、スクリーン３３０を昇降させる昇降部３２６（プーリ３２７、操作チェーン３２８）の動作と連動して位置を切り替えるものである。位置切替機構３４０は、図１１に示したように、揺動アーム３４４が長尺状に構成されており、一端に支持軸３４２が設けられており、他端が巻取パイプ３２０よりも径方向に突出している。揺動アーム３４４は固定軸３１８に回転可能に支持されている。
【００４９】
揺動アーム３４４は、後述する操作チェーン３２８から揺動させる力が加えられたときには回転するが、それ以外のときは固定軸３１８との摩擦で回転しないように構成されている。
【００５０】
揺動アーム３４４の回転中心部分はプーリ３２７方向に突出する突出部３４４ａが形成されており、突出部３４４ａの長さ方向の両端部には操作チェーン３２８が係合可能な傾斜部３４４ｂ、３４４ｃが形成されている。傾斜部３４４ｂ、３４４ｃは、略山形に形成されており、上端が操作チェーン３２８が係合するプーリの凹部３２７ａの底部とほぼ同じ位置にある。よって、操作チェーン３２８は、傾斜部３４４ｂ、３４４ｃに抵抗なく進入することができる。
【００５１】
また、傾斜部３４４ｂ、３４４ｃの径方向に最も突出した先端（すなわち、略への字の頂点）は、プーリの凹部３２７ａの上端とほぼ同じ位置にある。よって、傾斜部３４４ｂ、３４４ｃの先端には、操作チェーン３２８の下部が当接する。
【００５２】
さらに、傾斜部３４４ｂ、３４４ｃの先端から下端までは、操作チェーン３２８の移動に干渉しなければ任意の構成でよい。例えば、本実施形態では、傾斜部３４４ｂ、３４４ｃの下端がプーリの凹部３２７ａに深さ方向において中間の位置にあるようにし、操作チェーン３２８の移動に干渉しない構成としている。
【００５３】
傾斜部３４４ｂ、３４４ｃは、上端から先端に向かって徐々に径方向に突出した構成であるため、上端から傾斜部３４４ｂ、３４４ｃに進入した操作チェーン３２８が先端に移動するに従って、傾斜部３４４ｂ、３４４ｃに対して下方に揺動させる力を与えていく。
【００５４】
以上、本実施形態のロールスクリーン３００の構成について説明した。以下、ロールスクリーン３００の動作について、前述の図１１に加え、図１２及び図１３を参照しながら説明する。図１２は、スクリーン３３０が上昇するときの状態を示す図である。図１３は、スクリーン３３０が全閉され窓枠ＷＦに寄った状態を示す図である。
【００５５】
まず、スクリーン３３０を下降させる場合について説明する。スクリーン３３０を下降させるときは、図１１に示したように、操作チェーンの後側３２８ａを引き下ろす。すると、プーリ３２７がスクリーン３３０を下降させる方向に回転する。これと同時に、操作チェーンの後側３２８ａが傾斜部３４４ｂに係合し、下方に揺動させる力を加える。よって、揺動アーム３４４が下方に揺動し、スクリーン３３０が窓枠ＷＦから離間する。操作チェーンの後側３２８ａを操作し続けている間は、傾斜部３４４ｂに下方に揺動させる力が加えられるため、揺動アーム３４４は下方に揺動した状態を保ち続ける。よって、下降操作中は、スクリーン３３０は窓枠ＷＦから離間した状態が保持される。
【００５６】
次に、スクリーン３３０を上昇させる場合について説明する。スクリーン３３０を上昇させるときは、図１２に示したように、操作チェーンの前側３２８ｂを引き下ろす。すると、プーリ３２７がスクリーン３３０を上昇させる方向に回転する。これと同時に、操作チェーンの前側３２８ｂが傾斜部３４４ｃに係合し、下方に揺動させる力を加える。よって、揺動アーム３４４が上方に揺動し、スクリーン３３０が窓枠ＷＦから離間する。操作チェーンの前側３２８ｂを操作し続けている間は、傾斜部３４４ｃに下方に揺動させる力が加えられるため、揺動アーム３４４は上方に揺動した状態を保ち続ける。よって、上昇操作中は、スクリーン３３０は窓枠ＷＦから離間した状態が保持される。
【００５７】
次に、スクリーン３３０の昇降動作を停止した場合について説明する。スクリーン３３０の昇降動作が停止したときには、図１２に示したように、操作チェーン３２８を操作して揺動アーム３４４を水平する。揺動アーム３４４には、操作チェーン３２８から揺動させる力が加えらないため、固定軸３１８との摩擦で回転が規制されて水平状態を保持する。
【００５８】
（第３の実施形態の効果）
以上説明したように、本実施形態によれば、位置切替機構３４０を、スクリーン３３０を昇降させるための昇降部３２６の動作と連動可能としたことで、部品点数を削減できる。
【００５９】
なお、本実施形態では、固定軸３１８との摩擦によって揺動アーム３４４に水平な状態を保持させる構成としたが、この構成に限定されない。例えば、揺動アーム３４４と固定軸３１８との間にクラッチばねを設け、クラッチばねの付勢力によって揺動アーム３４４が水平に状態で保持されるようにしてもよい。この場合は、揺動アーム３４４が下方から水平状態に戻るクラッチばねと、上方から水平状態に戻るクラッチばねの２つのクラッチばねを設けるようにしてもよい。
【００６０】
（第４の実施形態）
第４の実施形態に係るロールスクリーン４００の構成について、図１４を参照しながら説明する。図１４は、本実施形態のロールスクリーン４００の構成を説明するための図である。本実施形態は、主に位置切替機構４４０の構成が第２の実施形態と異なるものである。本実施形態では、上記第２の実施形態と異なる点を中心に説明する。実質的に同一の機能構成を有する構成要素については、同一の符号を付することにより重複説明を省略する。
【００６１】
本実施形態の巻取パイプ４２０、プーリ４２７、操作チェーン４２８、スクリーン４３０は、第２の実施形態の巻取パイプ２２０、プーリ２２７、操作チェーン２２８、スクリーン２３０と実質的に同様である。
【００６２】
位置切替機構４４０は、スクリーン４３０を昇降させる昇降部４２６（プーリ４２７、操作チェーン４２８）の動作と連動して位置を切り替えるものである。位置切替機構４４０は、図１４に示したように、支持軸４４２と、揺動アーム４４４と、ピニオンギア４４６を備えて構成される。支持軸４４２は、揺動アーム４４４の後端に設けられている。揺動アーム４４４は、ピニオンギア４４６にかみ合うラックギア４４４ａが設けられており、ピニオンギア４４６の回転により前後に水平方向に移動する。
【００６３】
ピニオンギア４４６は、プーリの軸部４２７ａに一体回転するように嵌め合わされている。ピニオンギア４４６は、プーリ４２７がスクリーン下降方向に回転すると、ラックギア４４４ａを後方（窓枠ＷＦに近づく方向）に送り、揺動アーム４４４が後方に移動する。また、ピニオンギア４４６は、プーリ４２７がスクリーン上昇方向に回転すると、ラックギア４４４ａを前方（窓枠ＷＦから遠ざかる方向）に送り、揺動アーム４４４が前方に移動する。
【００６４】
以上、本実施形態のロールスクリーン４００の構成について説明した。以下、ロールスクリーン４００の動作について、前述の図１４に加え、図１５を参照しながら説明する。
【００６５】
まず、スクリーン４３０を上昇させる場合について説明する。スクリーン４３０を上昇させるときは、図１４に示したように、操作チェーンの前側４２８ｂを引き下ろす。すると、プーリ４２７がスクリーン４３０を上昇させる方向に回転する。プーリ４２７と一体にピニオンギア４４６が回転し、ラックギア４４４ａを前方に送る。このため、揺動アーム４４４が前方に移動し、支持軸４４２に支持されているスクリーン４３０が窓枠ＷＦから離間していく。よって、スクリーン４３０を上昇させている間は、スクリーン４３０は窓枠ＷＦから離間した状態で上昇していく。プーリ４２７の回転が止まるとプーリ４２７と一体にピニオンギア４４６の回転も止まるため、揺動アーム４４４はその位置で保持される。
【００６６】
次に、スクリーン４３０を下降させる場合について説明する。スクリーン４３０を下降させるときは、図１５に示したように、操作チェーンの後側４２８ａを引き下ろす。すると、プーリ４２７がスクリーン４３０を下降させる方向に回転する。プーリ４２７と一体にピニオンギア４４６が回転し、ラックギア４４４ａを後方に送る。このため、揺動アーム４４４が後方に移動し、支持軸４４２に支持されているスクリーン４３０が窓枠ＷＦに接近していく。よって、スクリーン４３０を下降させている間は、スクリーン４３０は窓枠ＷＦから離間した状態で下降していく。
【００６７】
スクリーン４３０は全閉の位置まで下降すると、プーリ４２７の回転が止まるとプーリ４２７と一体にピニオンギア４４６の回転も止まる。またこのとき、揺動アーム４４４は窓枠ＷＦに近接した位置まで移動しており、ピニオンギア４４６の回転の停止によって揺動アーム４４４はその位置で保持される。
【００６８】
（第４の実施形態の効果）
以上説明したように、本実施形態によれば、位置切替機構４４０を、スクリーン４３０を昇降させるための昇降部４２６の動作と連動可能としたことで、部品点数を削減できる。
【００６９】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００７０】
例えば、上記実施形態では、スクリーンを設置する対象として窓枠を例に挙げて説明したが、本発明はこれに限定されない。スクリーンの設置対象は壁面、間仕切りなど任意である。スクリーンの昇降時にスクリーンが対象物に接触しないことで、スクリーンの昇降動作に影響しないようにできるなどの効果がある。
【００７１】
また、上記第４実施形態では、ピニオンギア４４６をプーリの軸部４２７ａに一体回転するように嵌め合わされる構成としたが、プーリ４２７とピニオンギア４４６との間に減速ギアを介在させるようにしてもよい。このような構成とすることで、下降方向の操作に伴って揺動アーム４４４が窓枠ＷＦに徐々に近づいていき、スクリーン４３０が最下降位置まで下降すると同時に、揺動アーム４４４が窓枠ＷＦに近接した位置まで移動し、スクリーン４３０を窓枠ＷＦに近接又は当接させることができる。
【００７２】
以上説明した実施形態、変更例及び応用例の内容は、適宜組み合わせて実施できる。
【符号の説明】
【００７３】
１００、２００、３００、４００  ロールスクリーン
１１０  支持部材
１１２、２１２  サイドプレート
１１２−１  一方のサイドプレート
１１２−２  他方のサイドプレート
１１２ａ  円筒状部
１１４  セットフレーム
１１６  ブラケット
１１８、２１８、３１８  固定軸
１２０  巻取パイプ
１２２  軸受
１２４  巻取パイプ用ストッパ
１２６、２２６、３２６  昇降部
１２７、２２７、３２７、４２７  プーリ
１２８、２２８、３２８、４２８  操作チェーン
１３０、２３０、３３０、４３０  スクリーン
１３２  ウエイトバー
１４０、２４０、３４０、４４０  位置切替機構
１４２、２４２、３４２、４４２  支持軸
１４４、２４４、３４４、４４４  揺動アーム
１４４ａ  凹部
１４６  ばね
１４８  揺動操作部
１４８ａ  操作部
１４８ｂ  ジョイント
１５０  揺動アーム用ストッパ
２１８ａ、２１８ｂ  固定軸の突起部
２２７ａ、４２７ａ  プーリの軸部
２２８ａ、３２８ａ、４２８ａ  操作チェーンの後側
２２８ｂ、３２８ｂ、４２８ｂ  操作チェーンの前側
２２９  クラッチばね
２２９ａ、２２９ｂ  クラッチばねの端部
２４４ａ  揺動アームの突起部
３２７ａ  プーリの凹部
３４４ｂ、３４４ｃ  傾斜部
４４４ａ  ラックギア
４４６  ピニオンギア
ＷＦ  窓枠
ＷＡ  窓の開口部
【図１】
2020066899.tif 000003
【図２】
2020066899.tif 000004
【図３】
2020066899.tif 000005
【図４】
2020066899.tif 000006
【図５】
2020066899.tif 000007
【図６】
2020066899.tif 000008
【図７】
2020066899.tif 000009
【図８】
2020066899.tif 000010
【図９】
2020066899.tif 000011
【図１０】
2020066899.tif 000012
【図１１】
2020066899.tif 000013
【図１２】
2020066899.tif 000014
【図１３】
2020066899.tif 000015
【図１４】
2020066899.tif 000016
【図１５】
2020066899.tif 000017